(57)【要約】【課題】廃棄時の環境負荷が少なく、寸法精度や従来品との互換性に優れたインスタント写真フィルムパックの提供。【解決手段】インスタントカメラに装着されるインスタント写真フィルムパックであり、一の面が開放され、自己現像型フィルムユニットを内部に収容し、自己現像型フィルムユニットの露光面を露呈させる露光開口部と、露光済みの自己現像型フィルムユニットを排出する排出スリットとが形成され、さらにインスタントカメラへの装着時に位置決めの基準となる基準面が形成されたケース本体と、前記ケース本体の開放面を覆蓋する蓋部と、前記露光開口部を覆蓋する遮光カバーとを備え、前記ケース本体はセルロース−樹脂複合材料から形成され、前記蓋部は板紙から形成されたインスタント写真フィルムパック。【選択図】        図５
2004246021.tif 000002
【特許請求の範囲】
【請求項１】
インスタントカメラに装着されるインスタント写真フィルムパックであって、
一の面が開放されてなるとともに、自己現像型フィルムユニットを内部に収容し、自己現像型フィルムユニットの露光面を露呈させる露光開口部と、露光済みの自己現像型フィルムユニットを排出する排出スリットとが形成され、さらにインスタントカメラへの装着時に位置決めの基準となる基準面が形成されてなるケース本体と、
前記ケース本体の開放面を覆蓋して箱体を形成する蓋部と、
前記露光開口部を覆蓋する遮光カバーとを備えてなり、
前記ケース本体は、セルロース繊維と熱可塑性樹脂との複合材料であるセルロース−樹脂複合材料から形成され、前記蓋部は板紙から形成されてなることを特徴とするインスタント写真フィルムパック。
【請求項２】
インスタントカメラに装着されるインスタント写真フィルムパックであって、
一の面が開放されてなるとともに、自己現像型フィルムユニットを内部に収容し、自己現像型フィルムユニットの露光面を露呈させる露光開口部と、露光済みの自己現像型フィルムユニットを排出する排出スリットとが形成され、さらにインスタントカメラへの装着時に位置決めの基準となる基準面が形成されてなるケース本体と、
前記ケース本体の開放面を覆蓋して箱体を形成する蓋部と、
前記露光開口部を覆蓋する遮光カバーとを備えてなり、
前記ケース本体および前記蓋部の何れも前記セルロース−樹脂複合材料から形成されてなることを特徴とするインスタント写真フィルムパック。
【請求項３】
前記蓋部は、板紙から形成された１枚の連続した展開シートを折り曲げて形成されてなる請求項１に記載のインスタント写真フィルムパック。
【請求項４】
前記蓋部は、前記ケース本体全体を外側から被覆するように形成されてなる請求項３に記載のインスタント写真フィルムパック。
【請求項５】
前記セルロース−樹脂複合材料は、前記セルロース−樹脂複合材料からなるケース本体と、前記板紙および／または前記セルロース−樹脂複合材料からなる蓋部との合計質量に対してセルロース繊維の割合が５１質量％以上になるようにセルロース繊維が配合されてなる請求項１〜４の何れか１項に記載のインスタント写真フィルムパック。
【請求項６】
前記セルロース−樹脂複合材料は、前記セルロース−樹脂複合材料からなるケース本体と、前記板紙および／または前記セルロース−樹脂複合材料からなる蓋部との合計質量に対してセルロース繊維の割合が５１：４９〜７５：２５質量％以上になるようにセルロース繊維が配合されてなる請求項５に記載のインスタント写真フィルムパック。
【請求項７】
前記セルロース−樹脂複合材料は、熱可塑性樹脂のペレットと原紙を粉砕して圧縮造粒したセルロース繊維ペレットとを混練して得られる紙樹脂である請求項１〜６に記載のインスタント写真フィルムパック。
【請求項８】
前記蓋部は、
インスタントカメラへの装着時において、前記インスタントカメラから前記ケース本体内部に向かって挿入され、内部の自己現像型フィルムユニットを前記ケース本体における露光開口部に向かって押圧する押圧部材が挿通される開口部である第１挿入口と、
前記第１挿入口を塞いで遮光すると同時に、前記押圧部材が前記第１挿入口に挿通されると内側に折れ曲がって前記第１挿入口を開口させるように形成された片状部材である前記第１遮光片とを備えてなる請求項１〜７の何れか１項に記載のインスタント写真フィルムパック。
【請求項９】
前記ケース本体は、
インスタントカメラへの装着時において、前記インスタントカメラから前記ケース本体内部に向かって挿入され、前記自己現像型フィルムユニットを前記ケース本体における排出スリットに向かって押し出す押出し部材が挿通される開口部である第２挿入口と、
第２挿入口を塞いで遮光すると同時に、前記押出し部材で押圧すると第２挿入口を開口させるように形成された片状部材である第２遮光片とを備えてなる請求項１〜８の何れか１項に記載のインスタント写真フィルムパック。
【請求項１０】
前記遮光カバーは、前記ケース本体における排出スリットから排出可能に形成されてなる請求項１〜９の何れか１項に記載のインスタント写真フィルムパック。
【請求項１１】
前記蓋部の表面および前記ケース本体の外部に露出する面の少なくとも一方に特定の柄が印刷されてなる請求項１〜１０の何れか１項に記載のインスタント写真フィルムパック。
【請求項１２】
前記自己現像型フィルムユニットにおける露光面とは反対側の面における画像形成面の外側の部分にも特定の柄が印刷されてなる請求項１１に記載のインスタント写真フィルムパック。
【請求項１３】
前記蓋部の表面および／または前記ケース本体の外部に露出する面に印刷された柄と、前記自己現像型フィルムユニットに印刷された柄とは共通の概念で構成されてなる請求項１２に記載のインスタント写真フィルムパック。
【発明の詳細な説明】
【０００１】
【発明の属する技術分野】
本発明は、インスタント写真フィルムパックに関し、具体的には、環境負荷が少なく、再製や焼却が容易なインスタント写真フィルムパックに関する。
【０００２】
【従来の技術】
インスタントカメラに使用されるモノシートタイプの自己現像型フィルムユニットを箱状のケース内に複数枚収納したインスタント写真フィルムパックは、従来から各種販売されている。
【０００３】
インスタント写真フィルムパックのケースは、一般的に、遮光性を付与されたプラスチックで箱状に形成され、自己現像型フィルムユニットの露光面を露呈させる露光開口部と、露光済みの自己現像型フィルムユニットを排出する排出開口と、インスタントカメラに設けられ、自己現像型フィルムユニットを露光開口部に向けて押し上げる押圧部材が挿入される挿入開口とが設けられている。また、ケース内には、自己現像型フィルムユニットと共に重ねられて露光開口部をケース内側から塞ぐシート状の前フィルムカバーと、挿入開口をケース内側から塞ぐシート状の後フィルムカバーとが収納されている。
【０００４】
インスタント写真フィルムパックは、インスタントカメラに設けられたパック室にケースごとセットされる。インスタントカメラのパック室を開閉する蓋部材には、上記の押圧部材が取り付けられており、蓋部材を閉じると押圧部材がインスタント写真フィルムパックの挿入開口に挿入される。そして、フィルムと同様に前フィルムカバーが排出され、自己現像型フィルムユニットに露光可能になる。収納していた自己現像型フィルムユニットを全て使用し終わると、空になったインスタント写真フィルムパックは機器から取り出され廃棄される（特許文献１および２）。
【０００５】
従来、インスタント写真フィルムパックのケースは、ポリスチレン系樹脂などの熱可塑性樹脂から射出形成されていたので、廃棄される際には一般廃棄物として廃棄され、焼却され、または埋めたてられてきた。
【０００６】
前記ケースのような樹脂製品は、廃棄後焼却されると多大な熱量を発生するから環境への負荷が大きい。
【０００７】
更に、内部に光が進入するのを防止する目的で、前記ケースを黒か灰色の樹脂で成形してきたので、外観が単調になり、面白みや趣味性に欠け勝ちであるという問題もあった。
【０００８】
しかしながら、樹脂で成形したケースの表面を種々の色彩で着色したり、色柄を附したりすることは、コストの点から実際的ではない。
【０００９】
そこで、低コストで、環境負荷が少なく、且つ取り扱い性に優れたインスタント写真フィルムパックとして、ケース等の部材を板紙で形成することが検討された（特許文献３〜５）。ケース等を板紙で形成すれば、使用後に再製することが容易であるし、焼却や埋め立てを行ってもそれほど大きな環境負荷を発生しないと考えられる。また、板紙は通常表面が白色であるから、印刷適性に優れている。したがって、種々の色柄を低コストで附することができるから、趣味性の高い商品を低コストで製造できると考えられる。
【００１０】
【特許文献１】
特開平７−２０９８１４号公報
【特許文献２】
特開２０００−１４７６３９号公報
【特許文献３】
特開２００２−２８７３０５号公報
【特許文献４】
特開２００２−２８７２３７号公報
【特許文献５】
特開２００２−２８７３０４号公報
【００１１】
【発明が解決しようとする課題】
しかしながら、ケース全体を板紙で形成すると、充分な寸法精度が得られず、しかも、ケースを熱可塑性樹脂の射出成形で形成した従来品との互換性が充分ではないという問題もあった。
【００１２】
本発明は、上記問題を解決すべく成されたもので、廃棄時の環境負荷が少ないだけでなく、寸法精度、従来品との互換性、および印刷適性に優れたインスタント写真フィルムパックの提供を目的とする。
【００１３】
【課題を解決するための手段】
請求項１に記載の発明は、インスタントカメラに装着されるインスタント写真フィルムパックであって、一の面が開放されてなるとともに、自己現像型フィルムユニットを内部に収容し、自己現像型フィルムユニットの露光面を露呈させる露光開口部と、露光済みの自己現像型フィルムユニットを排出する排出スリットとが形成され、さらにインスタントカメラへの装着時に位置決めの基準となる基準面を形成されてなるケース本体と、前記ケース本体の開放面を覆蓋して箱体を形成する蓋部と、前記露光開口部を覆蓋する遮光カバーとを備えてなり、前記ケース本体は、セルロース繊維と熱可塑性樹脂との複合材料であるセルロース−樹脂複合材料から形成され、前記蓋部は板紙から形成されてなることを特徴とするインスタント写真フィルムパックに関する。
【００１４】
前記インスタント写真フィルムパックをインスタントカメラに装着すると、前記インスタントカメラの備えるパック室に前記ケース本体が嵌装され、前記ケース本体の基準面と前記パック室の内壁面とによってインスタント写真フィルムパックが位置決めされる。
【００１５】
撮影時には、遮光カバーが前記露光開口部から脱着されて前記露光開口部が開口し、自己現像型フィルムユニットの露光面が露呈する。したがって、インスタントカメラのシャッターを切ると、前記露光面が露光して潜像が形成される。
【００１６】
露光後の自己現像型フィルムユニットは、前記排出スリットを通してインスタントカメラの外に排出されて自動的に現像され、前記露光面の反対側に位置する画像形成面にポジ画像が形成される。
【００１７】
前記インスタント写真フィルムパックは、前述のように、前記ケース本体がセルロース−樹脂複合材料から形成され、前記蓋部が板紙から形成されている。
【００１８】
前記セルロース−樹脂複合材料は、熱可塑性樹脂のマトリックス相がセルロース繊維の分散相によって強化された構造を有しているから、前記熱可塑性樹脂単体に比較して剛性が高い。
【００１９】
したがって、後述するように、比較的に剛性の低いポリオレフィン系樹脂を前記熱可塑性樹脂として使用した場合においても、得られるケース本体の剛性は、剛性の高いポリスチレン系樹脂で成形した場合に劣らないほど高い。したがって、従来と変わらないか、またはそれ以上の寸法精度を有するケース本体を形成できるから、従来のインスタント写真フィルムパックと同様の高い位置決め精度が得られる。
【００２０】
さらに、廃棄されたインスタント写真フィルムパックを焼却処理する際の発生熱量が少なく、ガスも殆ど発生しないので、焼却処分が容易に行える。
【００２１】
故に、焼却処分を行った場合の環境への負荷は従来のインスタント写真フィルムパックに比較して圧倒的に小さい。
【００２２】
更に、使用済みのインスタント写真フィルムパックを粉砕・混練すれば、セルロース繊維と熱可塑性樹脂との混合物が得られるが、これは、セルロース繊維の割合が増大しているほかは、前記ケース本体を形成するセルロース−樹脂複合材料と殆ど同様の材料である。
【００２３】
したがって、使用済みのインスタント写真フィルムパックから再製した材料に新たに熱可塑性樹脂を追加するなどして成分調整を行えば、再度、前記ケース本体を形成するセルロース−樹脂複合材料として使用できる。したがって、リサイクルも容易である。
【００２４】
また、前記セルロース−樹脂複合材料と前記板紙とは、紙器や段ボールなどの製函に一般的に使用されるホットメルト接着剤やコールドグルー接着剤によって容易にしかも強固に接着できるから、前記ケース本体と前記蓋部との接着は極めて容易である。
【００２５】
更に、前記セルロース−樹脂複合材料と前記板紙とは何れも印刷適性が高いから、前記ケース本体や前記蓋部には、通常のオフセット印刷機によって種々の文字や図形を容易に印刷できる。したがって、趣味性の高い模様や柄の入ったインスタント写真フィルムパックを低コストで製造できる。
【００２６】
加えて、前記蓋部を、異なる模様の印刷されたものに交換するだけで、種々の意匠を有するインスタント写真フィルムパックを容易に製造できる。
【００２７】
前記セルロース−樹脂複合材料は、前述のようにセルロース繊維と熱可塑性樹脂とを主要成分とする複合材料である。前記セルロース−樹脂複合材料には、特願２００１−３７８１９８号明細書にあるように、酸化防止剤およびアルデヒド中和剤を添加することができる。前記セルロース−樹脂複合材料全体を１００重量部としたときのセルロース繊維の割合は２５重量部以上が好ましく、特に、５１重両部以上が好ましい。そして、印刷適性、ケース本体の寸法精度、および焼却の容易さの点から、前記セルロース繊維と熱可塑性樹脂との割合は、５１：４９〜７５：２５（重量比）の範囲が特に好ましい。
【００２８】
前記セルロース−樹脂複合材料に配合できるセルロース繊維としては、印画紙などの上質紙または各種故紙を適宜の方法によって粉砕または叩解して得られる紙繊維、木材パルプ、楮、三椏、ケナフ、砂糖黍、竹、および麻類から得られる非木材パルプなどが挙げられる。
【００２９】
前記セルロース−樹脂複合材料に配合できる熱可塑性樹脂としては、燃焼時に有毒ガスを殆ど発生しない点からポリオレフィン系樹脂が好ましく、中でも、高密度ポリエチレン、低密度ポリエチレン、超低密度ポリエチレンなどのポリエチレン系樹脂、ポリプロピレン樹脂、およびエチレン・プロピレン共重合体樹脂などが好ましい。
【００３０】
前記セルロース−樹脂複合材料としては、後述する紙樹脂のほか、前記セルロース繊維のパルプと前記熱可塑性樹脂の繊維のパルプとを混抄して熱プレスした混抄シート、および前記セルロース繊維から抄紙したセルロース紙と前記熱可塑性樹脂の繊維から抄紙した樹脂紙とを交互に積層して熱プレスした積層シートなどが挙げられる。なお、前記緩衝シートおよび積層シートにおいては、前記熱可塑性樹脂が溶融または軟化してセルロール繊維の間に含浸する程度の温度で熱プレスすることが好ましい。
【００３１】
前記ケース本体は、前記紙樹脂を射出成形することによって形成できる。前記ケース本体は、また、前記混抄シートおよび積層シートをプレス成形することによっても形成できる。
【００３２】
請求項２に記載の発明は、インスタントカメラに装着されるインスタント写真フィルムパックであって、一の面が開放されてなるとともに、自己現像型フィルムユニットを内部に収容し、自己現像型フィルムユニットの露光面を露呈させる露光開口部と、露光済みの自己現像型フィルムユニットを排出する排出スリットとが形成され、さらにインスタントカメラへの装着時に位置決めの基準となる基準面基準面が形成されてなるケース本体と、前記ケース本体の開放面を覆蓋して箱体を形成する蓋部と、前記露光開口部を覆蓋する遮光カバーとを備えてなり、前記ケース本体および前記蓋部の何れも前記セルロース−樹脂複合材料から形成されてなることを特徴とするインスタント写真フィルムパックに関する。
【００３３】
前記インスタント写真フィルムパックは、前述のようにケース本体のみならず蓋部もセルロース−樹脂複合材料から形成されているから、請求項１に記載のインスタント写真フィルムパックに比較して更に高い位置決め精度が得られる。また、ケース本体も蓋部も同一の材料から形成でき、さらに、前記セルロース−樹脂複合材料として後述する紙樹脂を使用すれば、射出成形によって前記ケース本体および蓋部を形成できるから、従来使用された設備に殆ど手を加えることなく、本発明のインスタント写真フィルムパックを製造できる。したがって、生産性の面でも有利である。
【００３４】
請求項３に記載の発明は、前記蓋部が、板紙から形成された１枚の連続した展開シートを折り曲げて形成されてなるインスタント写真フィルムパックに関する。
【００３５】
蓋部は、通常、ケース本体の開放面を覆蓋する上板と、前記上板に連続して設けられ、ケース本体の側面を覆う側板とを有する。また、前記上板および側板に加えて、前記ケース本体における開放面に相対向する面を覆する底板を有する場合もある。
【００３６】
前記インスタント写真フィルムパックにおいては、前記蓋部は、必要に応じて切込みや開口部を設けた一枚の連続した展開シートの上板、側板（および底板）に対応する部分を折り曲げることによって形成できる。したがって、前記上板、側板（および底板）を別々の板紙から形成し、最後に各部分を貼り合わせる面倒がないので、前記蓋部は、より少ない製造工程で生産できる故に、生産コストを節減できる。
【００３７】
請求項４に記載の発明は、前記蓋部が、前記ケース本体全体を被覆するように形成されてなるインスタント写真フィルムパックに関する。
【００３８】
前記インスタント写真フィルムパックにおいては、前述のようにケース本体全体が前記蓋部によって被覆されているから、前記ケース本体を黒色または暗灰色のセルロース−樹脂複合材料で形成し、前記蓋部を、表面に種々の文字や図形を印刷した板紙で形成することにより、遮光性と趣味性との両方に優れたインスタント写真フィルムパックが得られる。
【００３９】
請求項５に記載の発明は、前記セルロース−樹脂複合材料は、前記セルロース−樹脂複合材料からなるケース本体と、前記板紙および／または前記セルロース−樹脂複合材料からなる蓋部との合計質量に対してセルロース繊維の割合が５１質量％以上になるようにセルロース繊維が配合されてなるインスタント写真フィルムパックに関する。
【００４０】
前記セルロース−樹脂複合材料は、剛性や印刷適性、寸法精度が高く、しかも焼却が容易であって環境適性が高い。
【００４１】
請求項６に記載の発明は、前記セルロース−樹脂複合材料は、前記セルロース−樹脂複合材料からなるケース本体と、前記板紙および／または前記セルロース−樹脂複合材料からなる蓋部との合計質量に対してセルロース繊維の割合が５１：４９〜７５：２５質量％以上になるようにセルロース繊維が配合されてなるインスタント写真フィルムパックに関する。
【００４２】
前記セルロース−樹脂複合材料は、剛性、印刷適性、寸法精度、焼却の容易さに優れるだけでなく、射出成形やプレス成形が容易に行えるという特長を有する。
【００４３】
請求項７に記載の発明は、前記セルロース−樹脂複合材料が、熱可塑性樹脂のペレットと、原紙を粉砕して圧縮造粒したセルロース繊維ペレットとを混練して得られる紙樹脂であるインスタント写真フィルムパックに関する。
【００４４】
前記紙樹脂は射出成形が可能であるから、従来の製造設備を殆どそのまま用いて本発明のインスタント写真フィルムパックを製造できる。したがって、新たな設備投資に必要な費用が少なくて済む。
【００４５】
更に、射出成形によれば寸法精度の高いケース本体が製造できるから、前記インスタント写真フィルムパックは、インスタントカメラに装着したときの位置決め精度が高い。
【００４６】
請求項８に記載の発明は、前記蓋部が、インスタントカメラへの装着時において、前記インスタントカメラから前記ケース本体内部に向かって挿入され、内部の自己現像型フィルムユニットを前記ケース本体における露光開口部に向かって押圧する押圧部材が挿通される開口部である第１挿入口と、前記第１挿入口を塞いで遮光すると同時に、前記押圧部材が前記第１挿入口に挿通されると内側に折れ曲がって前記第１挿入口を開口させるように形成された片状部材である前記第１遮光片とを備えてなるインスタント写真フィルムパックに関する。
【００４７】
前記インスタント写真フィルムパックをインスタントカメラに装着するまでは、前記第１挿通口は前記第１遮光片によって覆蓋され、遮光されている。
【００４８】
前記インスタント写真フィルムパックをインスタントカメラに装着すると、前記インスタントカメラに設けられた押圧部材が前記第１遮光片を前記ケース本体の内部に向かって押し上げて前記第１挿入口を開口させるとともに、前記第１挿入口を通ってケース本体内部に挿入される。前記第１遮光片は、前記押圧部材によって押し上げられることにより、ケース本体内部に収容された自己現像型フィルムユニットを露光開口部に向かって押圧する。
【００４９】
前記第１遮光片は、前記蓋部における前記第１開口部の周囲に連続または断続した切れ目を設け、前記切れ目の断続した部分にミシン目を設けることにより、前記蓋部と一体に形成できる。また、前記蓋部における前記第１開口部の内側に、前記第１遮光片を形成する部材を接着等により固定してもよい。なお、前記部材も、黒色の板紙またはセルロース−樹脂複合材料のシートで形成することが好ましい。
【００５０】
請求項９に記載の発明は、前記ケース本体が、インスタントカメラへの装着時において、前記インスタントカメラから前記ケース本体内部に向かって挿入され、自己現像型フィルムユニットを前記ケース本体における排出スリットに向かって押し出す押出し部材が挿通される開口部である第２挿入口と、第２挿入口を塞いで遮光すると同時に、前記押出し部材で押圧すると第２挿入口を開口させるように形成された片状部材である第２遮光片とを備えてなるインスタント写真フィルムパックに関する。
【００５１】
前記インスタント写真フィルムパックにおいては、撮影が終了すると、インスタントカメラに設けられた押し出し部材が第２挿入口から前記ケース本体内部に挿入され、撮影済みのインスタント写真フィルムパックを排出スリットからインスタント写真フィルムパックの外に押し出す。
【００５２】
前記第２遮光片は、前記第２挿通口を覆蓋できれば、形態には特に制限はない。具体的には、前記遮光カバーにおける第２挿入口に相対する部分に設けた薄葉状の黒色フィルム片が挙げられる。
【００５３】
請求項１０に記載の発明は、前記遮光カバーが、前記ケース本体における排出スリットから排出可能に形成されてなるインスタント写真フィルムパックに関する。
【００５４】
前記インスタント写真フィルムパックをインスタントカメラに装着し、撮影を開始すると、前記インスタントカメラの押出し部材が、前記第２遮光片を押圧して第２挿入口を開口させ、第２挿入口から前記ケース本体内部に挿入される。そして、遮光シートを排出スリットからインスタント写真フィルムパックの外に押し出して、自己現像型フィルムユニットの露光面を露呈させ、露光可能な状態になる。遮光シートが排出スリットから押し出されたら、前記押し出し部材は待機位置に戻り、撮影準備が整う。
【００５５】
撮影が終了すると、前記押し出し部材が第２挿入口から前記ケース本体内部に挿入され、撮影済みのインスタント写真フィルムパックを排出スリットからインスタント写真フィルムパックの外に押し出す。
【００５６】
請求項１１に記載の発明は、前記蓋部の表面および前記ケース本体の外部に露出する面の少なくとも一方に特定の柄が印刷されてなるインスタント写真フィルムパックに関する。
【００５７】
前記インスタント写真フィルムパックにおいては、前記蓋部の表面および前記ケース本体の外部に露出する面の少なくとも一方に、文字および図形の少なくとも一方からなる特定の柄を印刷することにより、外観に変化を与えることができる。
【００５８】
したがって、たとえば、ある特定のイベントに合わせた柄を印刷すれば、前記イベントで景品として配布するのに好適なインスタント写真フィルムパックが製造できる。また、前記柄として、特定の社名や商品名などを印刷することにより、広告媒体としても使用できる。
【００５９】
請求項１２に記載の発明は、前記自己現像型フィルムユニットにおける露光面とは反対側の面における画像形成面の外側の部分にも特定の柄が印刷されてなるインスタント写真フィルムパックに関する。
【００６０】
前記インスタント写真フィルムパックにおいては、たとえば、前記自己現像型フィルムユニットにおける画像形成面の外側の部分に額縁様の模様を印刷することにより、撮影後において、写真を額縁に嵌めたような外観を呈する自己現像型フィルムユニットが得られる。このように、前記画像形成面の外側の部分に種々の柄を印刷した自己現像型フィルムユニットを用いることにより、撮影後の画像に種々の変化を与えることができ、また、消費者に、撮影した写真が直ぐに見られる以外の新たな面白みを提供することができる。したがって、前記インスタント写真フィルムパックは、消費者の多様なニーズに応えることができる。
【００６１】
請求項１３に記載の発明は、前記蓋部の表面および／または前記ケース本体の外部に露出する面に印刷された柄と、前記自己現像型フィルムユニットに印刷された柄とが共通の概念で構成されてなるインスタント写真フィルムパックに関する。
【００６２】
前記インスタント写真フィルムパックにおいては、たとえば前記蓋部の表面および／または前記ケース本体に印刷された柄と、自己現像型フィルムユニットに印刷された柄との間に、ある共通する物語性を持たせることにより、需要者に、更に大きな面白みを与えることができる。したがって、新たな需要を喚起することができる。
【００６３】
【発明の実施の形態】
１．実施形態１
本発明に係るインスタント写真フィルムパックの一例について以下に説明する。
【００６４】
図１〜図４に示すように、実施形態１に係るインスタント写真フィルムパック１００は、自己現像型フィルムユニットの一例であるインスタントフィルム２００を内部に積層した状態で収容するケース本体２と、ケース本体２の開放面を覆蓋してケース本体２とともに箱体を形成する蓋部４とを備えている。
【００６５】
ケース本体２は、後述する紙樹脂を射出成形して形成され、露光側面２ａと、露光側面２ａの短辺に沿った１対の側面である端面２ｂおよび端面２ｃと、露光側面２ａの長辺に沿った１対の側面である側面２ｄおよび側面２ｅとから構成され、全体として端面２ｂから端面２ｃに向かって厚みが縮小する楔形に形成され、露光側面２ａに相対する底面が開放された浅い箱状に形成されている。
【００６６】
図１〜図４に示すように、ケース本体２における前記開放面に相対向する露光側面２ａには、インスタントフィルム２００の露光面を露呈させる露光開口部２Ａが開口している。露光側面２ａには、更に、露光開口部２Ａに沿ってケース本体２の内側に伸びるリブ２ｆが形成されている。更に、端面２ｃ、側面２ｄ、側面２ｅの内側の面にも、厚さ方向に延在するリブ２ｇおよび２ｈが設けられている。インスタント写真フィルムパック１００をインスタントカメラ３００に装着したときに、露光側面２ａ、端面２ｂ、端面２ｃ、側面２ｄ、および側面２ｅがケース本体２の位置を決める基準面になるが、リブ２ｆ、２ｇ、および２ｈを設けたことによってこれらの面の剛性が高くなるから、インスタント写真フィルムパック１００のインスタントカメラ３００内での位置決めを高い精度で行うことができる。
【００６７】
ケース本体２の端面２ｂおよび２ｃのうち、高さの高いほうの端面２ｂには、露光側面２ａに連続する側の端縁に沿って排出スリット２Ｂが形成されている。
排出スリット２Ｂは、後述する露光カバー６および露光済みのインスタントフィルム２００を排出するスリットであり、インスタントフィルム２００の積層方向に対して平行に設けられている。
【００６８】
ケース本体２における端面２ｂに相対向する高さの低いほうの端面２ｃには、第２挿入口２Ｃが形成されている。第２挿入口２Ｃは、露光開口部２Ａに連続するように形成されている。
【００６９】
図４に示すように、インスタントフィルム２００は、画像形成面２０２の反対側に位置する露光面２０４が露光開口部２Ａの側を向くように積層されてケース本体２に収容されている。
【００７０】
露光開口部２Ａは、遮光カバー６によって覆蓋されているから、所定枚数のインスタントフィルム２００がケース本体２に収容された状態においては、図４に示すように１枚目のインスタントフィルム２００の露光面２０４が遮光カバー６の内側の面に接する。
【００７１】
端縁２ｂには、排出スリット２Ｂを外側から覆蓋する遮光フラップ８が設けられている。遮光フラップ８は、排出スリット２Ｂに沿って設けられ、図１において点線で囲み、斜線を附した区域８ａで示すように、排出スリット２Ｂを覆蓋する側とは反対側の側縁の近傍においてケース本体２に接着されている。
【００７２】
ケース本体２の第２挿入口２Ｃも、後述するように遮光カバー６に設けられた第２遮光片６Ｃによって覆蓋されている。
【００７３】
図１に示すように、側面２ｄの上縁には位置決めリブ２ｊが設けられ、側面２ｃにおける第２挿入口２Ｃに隣接する部分には、外側の面に位置決め突起２ｋが設けられている。位置決めリブ２ｊは、図５に示すように、インスタント写真フィルムパック１００をインスタントカメラ３００のパック室３０２に嵌装したとき、パック室３０２の底面に設けられた位置決め突起３０２ａと係合して幅方向の位置決めを行う機能を有する。一方、位置決め突起２ｋは、図６に示すように、パック室３０２に設けられた位置決め凹陥部３０２ｂに係合して長手方向の位置決めを行う機能を有する。
【００７４】
遮光カバー６は、黒色の板紙または紙樹脂のシートから形成され、図４および図７に示すように、４隅が丸みを帯びた長方形の平面形状を有している。そして、長辺に沿ってほぼ長辺の全長に亘って設けられているとともに、ケース本体２に装着したときに外側に向かって突出する１対の補強リブ６Ａと、補強リブ６Ａが突出する側の面における一方の短辺に沿って貼付された第３遮光片６Ｂと、補強リブ６Ａが突出する側とは反対側の面における一方の長辺に沿って貼付された第２遮光片６Ｃと、第３遮光片６Ｃを挟むように位置し、内側に向かって円形に突出する１対のディンプル部６Ｄとが設けられている。
【００７５】
第３遮光片６Ｂは、黒色に着色されたプラスチックフィルムからなる薄葉体であり、遮光カバー６をケース本体２に装着したときに内側に屈曲されて排出スリット２Ｂを内側から塞ぎ、遮光フラップ８と協働して排出スリット２Ｂからの外光の侵入を防止する。
【００７６】
第２遮光片６Ｃもまた、黒色に着色されたプラスチックフィルムからなる薄葉体であり、遮光カバー６の内側に位置する側の面の一方の長辺に沿って貼りつけられ、ディンプル部６Ｄおよび第３遮光片６Ｂが設けられた側とは反対側の端部において内側に向かって略垂直方向に屈曲した屈曲部６Ｅを形成する。第２遮光片６Ｃは、また、外側の側縁も内側面に向かって略垂直方向に屈曲され、屈曲部６Ｆが形成されている。遮光カバー６をケース本体２に装着すると、第２遮光片６Ｃの屈曲部６Ｅがケース本体２の第２挿入口２Ｃを内側から塞いで外光の侵入を防止するとともに、屈曲部６Ｆが側面２ｄの内側の面に密着して遮光カバー６と露光開口部２Ａとの隙間から外光が侵入するのを防止している。
【００７７】
蓋部４は、図１〜図４、および図８に示すように、ケース本体２の開放面を覆蓋する開放面覆蓋部４Ａと、ケース本体２を外側から被覆するケース本体被覆部４Ｂと、開放面覆蓋部４Ａとケース本体被覆部４Ｂとを連結するとともにケース本体２の端面２ｃを外側から覆う連結部４Ｃとから構成されている。
【００７８】
開放面覆蓋部４Ａと連結部４Ｃとの間、および連結部４Ｃとケース本体被覆部４Ｂとの間にはそれぞれ折り曲げ線４ａおよび折り曲げ線４ｂが形成されている。図４および図８に示すように、蓋部４は、開放面覆蓋部４Ａととケース本体被覆部４Ｂとが連結部４Ｃを挟んで相対向するように折り曲げ線４ａおよび折り曲げ線４ｂで山に折り曲げられ、ケース本体２の側面２ｄおよび側面２ｅを被覆する。
【００７９】
ケース本体被覆部４Ｂは、ケース本体２の露光側面２ａを覆う露光側面被覆板４Ｄと、露光側面被覆板４Ｄに連続して設けられ、ケース本体２の側面２ｄおよび側面２ｅを被覆する側面被覆部４Ｅおよび側面被覆部４Ｆとを備えている。
【００８０】
露光側面被覆板４Ｄには、露光開口部２Ａおよび第２挿入部２Ｃを露呈させる開口部４Ｄ２が設けられている。開口部４Ｄ２には、位置決めリブ２ｉを露呈させる切り込み部４Ｄ４が設けられている。
【００８１】
開放面覆蓋部４Ａは、ケース本体２の開放面を覆蓋する覆蓋面形成板４Ｇと、覆蓋面形成板４Ｇの両側縁を挟んで覆蓋面形成板４Ｇに隣接して設けられた側面形成板４Ｈおよび側面形成板４Ｊと、覆蓋面形成板４Ｇを挟んで連結部４Ｃに相対する位置に設けられた端面部４Ｋとを備えている。側面形成板４Ｈおよび側面形成板４Ｊにおける端面部４Ｋに隣接する側の端縁には、補強フラップ４Ｌおよび補強フラップ４Ｍが設けられている。
【００８２】
蓋部４は、図８に示す形状に切出された１枚の板紙シートを折り曲げることにより形成される。
【００８３】
まず、ケース本体被覆部４Ｂは、前記板紙シートを折り曲げ線４ｃおよび折り曲げ線４ｄに沿って折り曲げ、側面被覆部４Ｅおよび側面被覆部４Ｆが露光側面被覆板４Ｄの同じ側に向かって露光側面被覆板４Ｄに対して直角に立ち上がるように形成される。
【００８４】
次に、開放面覆蓋部４Ａは、側面形成板４Ｈ、側面形成板４Ｊ、および端面部４Ｋが、何れも覆蓋面形成板４Ｇのケース本体被覆部４Ｂに向かい合う側に、覆蓋面形成板４Ｇに対して直角に立ちあがるように、前記板紙シートにおける開放面被覆部４Ａに対応する部分の曲げ線４ｅ、折り曲げ線４ｆ、および折り曲げ線４ｇを折り曲げて形成される。そして補強フラップ４Ｌおよび補強フラップ４Ｍを端面部４Ｋの内側に接着することにより、端面部４Ｋが側面形成板４Ｈおよび側面形成板４Ｊに対して固定される。これによって、開放面覆蓋部４Ａは全体として浅い箱型に形成される。
【００８５】
覆蓋面形成板４Ｇの中央部には、第１挿入口４Ｎが一対設けられている。覆蓋面形成板４Ｇの内側の面における第１挿入口４Ｎを覆蓋する位置に、遮光部材１０が接着・固定されている。
【００８６】
連結部４Ｃには、開口部４Ｄ２に連続した開口部であり、第２挿入口２Ｃを露呈させる切込み部４Ｃ２と、位置決め突起２ｋを露呈させる開口部４Ｃ４とが設けられている。
【００８７】
なお、蓋部４の内側を黒色に着色するか、または黒色の層を設け、外光が透過しないようにすることが望ましい。また、本実施形態においては、蓋部４は、１枚の板紙を折り曲げて形成されているが、紙樹脂を押し出し成形するなどの方法によって形成されたシートを折り曲げて形成してもよい。
【００８８】
遮光部材１０は、図２〜図４および図９に示すように、第１挿入口４Ｎを内側から塞いで遮光する長方形状の第１遮光片１０Ａと、全体として長方形状に形成され、ヒンジ部１０Ａ２を介して第１遮光片１０Ａを覆蓋面形成板４Ｇの内側の面に内側に折れ曲がり可能に取付ける基部１０Ｂとを有する。基部１０Ｂは、長手方向の側縁において図４および図９における上方に折り曲げられて１対の弓型の稜状部１０Ｃを形成するとともに、中央部において、やはり図４および図９における上方に向かって幅方向に沿って略Ωに折り曲げられて補強部１０Ｄを形成している。稜状部１０Ｃおよび補強部１０Ｄは、遮光部材１０を覆蓋面形成板４Ｇに接着・固定した状態において、遮光部材１０および開放面覆蓋部４Ａに剛性を付与する機能を有する。同時に、稜状部１０Ｃは、ケース本体２の内部に収容されたインスタントフィルム２００を露光開口部２Ａに向かって押圧する機能を有する。
【００８９】
遮光部材１０は、板紙または紙樹脂の１枚の黒色シート１０Ｅを図１０に示す形状に切り出したものを、折り曲げ線１０ａ、折り曲げ線１０ｂ、および折り曲げ線１０ｃに沿って折り曲げて形成される。図１０において折り曲げ線１０ａ、折り曲げ線１０ｂ、および折り曲げ線１０ｃのうち、点線で示したものは、折り曲げて谷部を形成する折り曲げ線であり、実線で示したものは、折り曲げて山部を形成する折り曲げ線である。
【００９０】
シート１０Ｅを折り曲げて遮光部材１０を形成する手順を以下に説明する。
【００９１】
まず、稜状部１０Ｃが、基部１０Ｂの同じ側に直角に立ち上がるように、折り曲げ線１０ａにおいてシート１０Ｅを折り曲げる。次に、折り曲げ線１０ｂおよび折り曲げ線１０ｃを折り曲げて稜状部１０Ｃが立ちあがっている方向に補強部１０Ｄを突出させる。そして切込み部１０ｃ、切込み部１０ｄ、および切込み部１０ｅを互いに組み合わせて稜状部１０Ｃと補強部１０Ｄとを互いに固定する。
【００９２】
図１１に、遮光部材１０の別の例を示す。図１７に示す遮光部材１０においては、１対の第１遮光片１０Ａのうち、一方の末端部が他方の遮光部材１０Ａに向かって伸び、インスタントフィルム押圧部１０Ｅを形成している。インスタントフィルム押圧部１０Ｅの末端部には、第１遮光片１０Ａのうちの他方に重なり合う重なり部１０Ｆが形成されている。インスタントカメラ３００の備える押圧部材３０６が蓋部４の第１挿入口４Ｎから内部に挿入され、第１遮光片１０Ａを押圧すると、インスタントフィルム押圧部１０Ｅは、ケース本体２の露光開口部２Ａに向かって移動するから、内部に収容されたインスタントフィルム２００を露光開口部２Ａに押圧する。
【００９３】
図１１に示す遮光部材１０は、インスタントフィルム押圧部１０Ｅによってインスタントフィルム２００を更に均一な圧力で押圧できる点、および重なり部１０Ｆが前記他方の第１遮光片１０Ａに重なり合う故に、外光の侵入を更に効果的に防止できる点で、図９および図１０に示す遮光部材１０よりも更に好ましい。
【００９４】
ケース本体２の成形に使用される紙樹脂は、以下に述べる手順に従って調製することができる。
【００９５】
まず、印画紙損紙を０．５〜２ｍｍ角程度の大きさに裁断する。そして、裁断した損紙をピンミルやターボミルなどの適宜の叩解装置で叩解してセルロース繊維に解し、これを、直径２〜３ｍｍ、長さ３〜５ｍｍ程度の大きさのペレットに固める。このようにして得られた紙ペレットを、ＰＰ樹脂ペレットと所定の比率、たとえば紙ペレット：ＰＰ樹脂ペレット＝５１：４９〜７５：２５（質量比）で混練し、得られた混練物を紐状に押し出しつつ裁断して紙樹脂ペレットを得る。前記印画紙損紙は２０質量％のＰＥを含むので、前記紙樹脂ペレット中のセルロース繊維の割合は、４１〜６０質量％になる。
【００９６】
このようにして得られた紙樹脂ペレットに、紙樹脂ペレット：ＰＰ樹脂ペレット＝５：５（質量比）になるようにＰＰ樹脂ペレットを添加し、セルロース繊維の割合を２１〜３０質量％にしたものを用いてケース本体２を射出成形する。
【００９７】
インスタント写真フィルムパック１００は、以下の手順に沿って組み立てることができる。
【００９８】
図４に示すように、蓋部４のケース本体被覆部４Ｂにおいては、露光側面被覆板４Ｄにケース本体２の露光側面２ａを接着し、同時に側面被覆部４Ｅおよび側面被覆部４Ｆを、側面２ｅおよび側面２ｄを包み込むように露光側面被覆板４Ｄに対して直角に折畳んで接着する。
【００９９】
一方、蓋部４の開放面覆蓋部４Ａを箱型に組み立て、覆蓋面形成板４Ｇの内側の面に遮光部材１０を接着し、固定する。
【０１００】
そして、開口面からケース本体２の内部に遮光カバー６を装入し、露光開口部２Ａを覆蓋する。ケース本体２に露光カバー６を装入するときは、第２遮光片６Ｃの屈曲部６Ｅが第２挿入口２Ｃを覆蓋し、補強リブ６Ａが外側に突出するように装入する。
【０１０１】
ケース本体２に遮光板６が装入されたら、所定枚数のインスタントフィルム２００を積層したものを、露光面２０４が遮光カバー６の側を向くように、開放面からケース本体２内部に装入する。
【０１０２】
ケース本体２にインスタントフィルム２００を装入したら、開放面覆蓋部４Ａをケース本体被覆部４Ｂに重ね合わせるように折り曲げ線４ａおよび折り曲げ線４ｂで蓋部４を折り曲げ、開放面覆蓋部４Ａの側面形成板４Ｈおよび側面形成板４Ｊを、ケース本体被覆部４Ｂの側面被覆部４Ｅおよび側面被覆部４Ｆにそれぞれ外側から重ね合わせて接着・固定する。
【０１０３】
インスタント写真フィルムパック１００においては、図１２において（Ａ）および（Ｂ）に示すように、外装を形成する蓋部４の全面に特定の文字および／または図形からなる柄を印刷することができる。また、蓋部４だけでなく、内部に収容されるインスタントフィルム２００の画像形成面２０２の周囲にも、図１３に示すように同様の柄を印刷することができる。
【０１０４】
インスタント写真フィルムパック１００をインスタントカメラ３００に装着したところを図１４に示す。
【０１０５】
図１４に示すように、インスタント写真フィルムパック１００をインスタントカメラ３００のパック室３０２に装填し、裏蓋３０４を閉じると、インスタント写真フィルムパック１００は、位置決めリブ２ｊと位置決め突起２ｋとにより、パック室３０２の内部において所定の位置に位置決めされる。同時に、裏蓋３０４からパック室３０２に向かって突出する押圧部材３０６が、第１挿入口４Ｎからケース本体２の内部に挿入され、第１遮光片１０Ａを遮光カバー６に向かって押圧する。ケース本体２内に収容されたインスタントフィルム２００は、第１遮光片１０Ａによって遮光カバー６に向かって押圧される。
【０１０６】
撮影開始時には、パック室３０２の図１４における下端部に待機していた爪３０８が、矢印で示すように図１４における上方に移動し、インスタント写真フィルムパック１００の第２挿入口２Ｃから露光開口部２Ａの中央部に進入し、遮光カバー６を上方に押圧する。爪３０８によって上方に移動した遮光カバー６は、排出スリット２Ｂからインスタント写真フィルムパック１００の外部に排出される。そして、インスタントカメラ３００におけるパック室３０２の上方に位置する１対の排出ローラ３１０によってインスタントカメラ３００の外部に排出され、１枚目のインスタントフィルム２００の露光面２０４が露呈する。遮光カバー６がインスタントカメラ３００の外部に排出されたら、爪３０８は再び待機位置に戻る。
【０１０７】
この状態でインスタントカメラ３００のシャッター（図示せず。）をきると、露光面２０４が露光する。
【０１０８】
露光面２０４が露光したら、待機位置にあった爪３０８が再び上方に移動し、１枚目のインスタントフィルム２００をインスタントカメラ３００の外部に排出する。インスタントフィルム２００がローラ３１０の間を通過する際に、露光面２０４のすぐ上方に位置する袋が破れ、内部の現像・定着・発色剤が露光面２０４に浸透する。これによって露光面２０４においては現像・定着・発色が行われ、画像形成面２０２にポジ画像が現れる。
【０１０９】
インスタント写真フィルムパック１００は、前述のように、ケース本体２が紙樹脂を射出成形して形成され、蓋部４および遮光部材１０が板紙から形成されている。
【０１１０】
ケース本体２に使用された紙樹脂は、前述のように、セルロース繊維の割合が４１〜６０質量％である紙樹脂ペレットに、紙樹脂ペレット：ＰＰ樹脂ペレット＝５：５（質量比）になるようにＰＰ樹脂ペレットを添加することにより調製されたものであり、セルロース繊維の割合が２１〜３０質量％であり、ＰＰ樹脂およびＰＥ樹脂の割合が７９〜７０質量％である。
【０１１１】
そして、ケース本体２の質量が１０ｇであり、蓋部４の質量が８ｇであるから、ケース本体２と蓋部４の合計質量に対するセルロース繊維の割合は、５６〜６１質量％になる。
【０１１２】
インスタント写真フィルムパック１００は、使用後にはケース本体２と蓋部４が廃棄されるから、廃棄された状態のセルロース繊維含有量は５６〜６１質量％である。したがって、焼却時の発生熱量が少ないので、使用済みのインスタント写真フィルムパック１００は、容易に焼却処分できる。また、セルロース繊維は生分解性なので、埋め立て処分も容易に行える。
【０１１３】
更に、使用済みのインスタント写真フィルムパック１００を粉砕・混練すれば、セルロース繊維と熱可塑性樹脂との混合物が得られる。この混練物は、セルロース繊維の割合が増大しているほかは、前記ケース本体２を形成するセルロース−樹脂複合材料と殆ど同様の材料である。
【０１１４】
また、ケース本体２は蓋部４によって外側から被覆されているから、ケース本体２そのものが黒色や暗灰色などの趣味性に劣る色彩を有していても、蓋部４に種々の柄を附することによって趣味性の高いインスタント写真フィルムパック１００を提供できる。したがって、前記混練物は、黒色または暗灰色に着色していてもケース本体２の成形に使用する分には特に問題はない。
【０１１５】
したがって、前記混練物は、必要に応じて同種の熱可塑性樹脂を追加するなどの成分調整を行い、カーボンブラックなどの黒色顔料を追加すれば、ケース本体２の射出成形に再度使用できる。したがって、再生利用も容易である。
【０１１６】
更に、紙樹脂と板紙とはホットメルト接着剤やコールドグルー接着剤によって容易にしかも強固に接着できるから、ケース本体２と蓋部４との接着は極めて容易である。
【０１１７】
加えて、前記紙樹脂は、ＰＰ樹脂のマトリックス相中にセルロース繊維が分散した構造を有しているから、前記マトリックス相がセルロース繊維によって強化された構造を有し、ＰＰ樹脂単体に比較して剛性が高い。更に、射出成形も容易である。
【０１１８】
前記ケース本体２は、このような特長を有する紙樹脂を射出生形成して作製されるから、従来のポリスチレン系樹脂性のケース本体に劣らないほど剛性が高く、したがって寸法精度も高い。故に、従来のインスタント写真フィルムパックと同様に、インスタントカメラに装着したときに高い位置決め精度が得られる。
【０１１９】
２．実施形態２
本発明に係るインスタント写真フィルムパックの別の例について以下に説明する。図１５以降の図面において、図１〜図１４と同一の符号は、特に断らない限り、前記符号が図１〜図１４において示すのと同一の構成要素を示す。
【０１２０】
図１５〜図１７に示すように、実施形態２に係るインスタント写真フィルムパック１０２は、実施形態１におけるケース本体２と同様の構成を有するケース本体２の開放面に、浅い箱型の形状を有する蓋部４０を被せて全体として箱体状に形成した構成を有している。
【０１２１】
蓋部４０は、ケース本体被覆部４Ｂを有しない以外は、実施形態１における蓋部４と同様の構成を有している。また、前記蓋部４と同様に１枚の板紙を折り曲げて形成できるが、前記板紙には限らず、紙樹脂などのシートを折り曲げて形成してもよい。
【０１２２】
以下、蓋部４０の構成について説明する。
【０１２３】
蓋部４０は、ケース本体２の開放面を覆蓋するとともに、露光側面２ａに相対する面を形成する覆蓋面形成板４０Ａと、覆蓋面形成板４０Ａの短辺に沿って覆蓋面形成板４０に連続する端面形成板４０Ｂおよび端面形成板４０Ｃと、覆蓋面形成板４０Ａの長辺に沿って覆蓋面形成板４０に連続する側面形成板４０Ｄおよび側面形成板４０Ｅとを備えている。端面形成板４０Ｂと端面形成板４０Ｃと側面形成板４０Ｄと側面形成板４０Ｅとによって蓋部４０の側面が形成される。
【０１２４】
端面形成板４０Ｂおよび端面形成板４０Ｃは、それぞれケース本体２の端面２ｂおよび端面２ｃを外側から覆うように接着されるから、端面４０Ｂは、蓋部４０をケース本体２に固定したときに排出スリット２Ｂが覆われない程度の寸法に形成されている。そして端面４０Ｃには、第２挿入口２Ｃを露呈させる開口部４０Ｃ２および位置決め突起２ｋを露呈させる開口部４０Ｃ４が形成されている。
【０１２５】
なお、側面形成板４０Ｄおよび４０Ｅは、ケース本体の側面２ｄおよび側面２ｅを外側から覆うように接着・固定される。
【０１２６】
覆蓋面形成板４０Ａの中央部には、１対の第１挿入口４０Ｆが形成されている。覆蓋面形成板４０Ａの内側の面には、図１６に示すように、実施形態１で説明したのと同様の遮光部材１０の基台１０Ｂが接着・固定され、第１遮光片１０Ａによって第１挿入口４０Ｆが遮光されている。
【０１２７】
図１８に示すように、蓋部４０は、１枚の板紙のシートから以下の手順に従って形成できる。
【０１２８】
まず、図１８に示す展開図の形状に切出された板紙において、端面形成板４０Ｂ、端面形成板４０Ｃ、側面形成板４Ｄ、側面形成板４Ｅを、それぞれ折り曲げ線４０ａ、４０ｂ、４０ｃ、４０ｄに沿って覆蓋面形成板４０Ａに対して直角に立ちあがるように曲げる。
【０１２９】
次に、側面形成板４Ｄおよび側面形成板４０Ｅの端面形成板４０Ｂに隣接する側の末端に折り曲げ線４０ｅおよび折り曲げ線４０ｆを介して形成された補強フラップ４０Ｆおよび補強フラップ４０Ｇを端面形成板４０Ｂの内側に接着し、端面形成板４０Ｂを側面形成板４Ｄおよび側面形成板４０Ｅに対して固定する。
【０１３０】
端面形成板４０Ｂが固定されたら、側面形成板４Ｄおよび側面形成板４０Ｅの端面形成板４０Ｃに隣接する側の末端に折り曲げ線４０ｇおよび折り曲げ線４０ｈを介して形成された補強フラップ４０Ｈおよび補強フラップ４０Ｊを端面形成板４０Ｃの内側に接着し、端面形成板４０Ｃを側面形成板４Ｄおよび側面形成板４０Ｅに対して固定する。
【０１３１】
上述した以外の構成および作用については、インスタント写真フィルムパック１０２は、実施形態１に係るインスタント写真フィルムパック１００と同様である。
【０１３２】
インスタント写真フィルムパック１０２は、実施形態１に係るインスタント写真フィルムパック１００と同様にしてインスタントカメラ３００に装着でき、また、インスタントカメラ３００のパック室３０２内における位置決めも同じようにして行われる。
【０１３３】
また、遮光シート６の脱着、インスタントフィルム２００の露光および画像・定着・発色も同様にして行われる。
【０１３４】
実施形態２に係るインスタント写真フィルムパック１０２は、実施例１に係るインスタント写真フィルムパック１００と同様に、廃棄後の焼却処理や埋め立て処理が容易であり、また容易に再生できるだけでなく、ケース本体２の寸法精度が高く、インスタントカメラ３００に装着したときに高い位置決め精度が得られる点で好ましい。
【０１３５】
実施形態２に係るインスタント写真フィルムパック１０２は、これらの点に加えて、蓋部４０の構成が容易である点でも好ましい。
【０１３６】
【発明の効果】
以上説明したように、本発明によれば、低コストであり、廃棄時の環境負荷が少なく、寸法精度が高く、従来品との互換性に優れたインスタント写真フィルムパックが提供される。
【図面の簡単な説明】
【図１】図１は、実施形態１に係るインスタント写真フィルムパックを、排出スリットが設けられた側の端面が紙面に対して手間側に位置するように配置し、露光開口部から見たところを示す斜視図である。
【図２】図２は、実施形態１に係るインスタント写真フィルムパックを第１挿入口側から見たところを示す斜視図である。
【図３】図３は、実施形態１に係るインスタント写真フィルムパックを、図１における垂直面Ｘ−Ｘで切断した断面を示す断面図である。
【図４】図４は、実施形態１に係るインスタント写真フィルムパックの内部構造を示す分解図である。
【図５】図５は、実施形態１に係るインスタント写真フィルムパックをインスタントカメラに装着したときの、前記インスタント写真フィルムパックの位置決めリブとインスタントカメラのパック室に設けられた位置決め突起との係合関係を示す概略断面図である。
【図６】図６は、実施形態１に係るインスタント写真フィルムパックをインスタントカメラに装着したときの、前記インスタント写真フィルムパックの位置決め突起とインスタントカメラのパック室に設けられた位置決め凹陥部との係合関係を示す概略断面図である。
【図７】図７は、実施形態１に係るインスタント写真フィルムパックの露光開口部を覆蓋する遮光カバーを、インスタント写真フィルムパックに装着したときに内側になる側の面から見たところを示す斜視図である。
【図８】図８は、実施形態１に係るインスタント写真フィルムパックの備える蓋部の展開図である。
【図９】図９は、実施形態１に係るインスタント写真フィルムパックの備える蓋部の内側に固定される遮光部材を表側から見たところを示す斜視図である。
【図１０】図１０は、図９に示す遮光部材の展開図である。
【図１１】図１１は、実施形態１に係るインスタント写真フィルムパックにおいて使用できる遮光部材の別の例を示す斜視図である。
【図１２】図１２は、蓋部４の全面に柄を印刷したインスタント写真フィルムパックを示す平面図である。
【図１３】図１３は、図１２に示すのと同様の柄をインスタントフィルムの画像形成面の周囲にも附した例を示す平面図である。
【図１４】図１４は、実施形態１に係るインスタント写真フィルムパックをインスタントカメラに装着したところを示す断面図である。
【図１５】図１５は、実施形態２に係るインスタント写真フィルムパックを露光開口部側から見たところを示す斜視図である。
【図１６】図１６は、実施形態２に係るインスタント写真フィルムパックの構成を示す分解図である。
【図１７】図１７は、実施形態２に係るインスタント写真フィルムパックの備えるケース本体の構成を示す斜視図である。
【図１８】図１８は、実施形態２に係るインスタント写真フィルムパックの備える蓋部の展開図である。
【符号の説明】
２      ケース本体
２Ａ    露光開口部
２Ｂ    排出スリット
２Ｃ    第２挿入口
４      蓋部
４Ｎ    第１挿入口
６      遮光カバー
８      遮光フラップ
１０      遮光部材
４０      蓋部
１００      インスタント写真フィルムパック
１０２      インスタント写真フィルムパック
２００      インスタントフィルム
３００      インスタントカメラ
【図１】
2004246021.tif 000003
【図２】
2004246021.tif 000004
【図３】
2004246021.tif 000005
【図４】
2004246021.tif 000006
【図５】
2004246021.tif 000007
【図６】
2004246021.tif 000008
【図７】
2004246021.tif 000009
【図８】
2004246021.tif 000010
【図９】
2004246021.tif 000011
【図１０】
2004246021.tif 000012
【図１１】
2004246021.tif 000013
【図１２】
2004246021.tif 000014
【図１３】
2004246021.tif 000015
【図１４】
2004246021.tif 000016
【図１５】
2004246021.tif 000017
【図１６】
2004246021.tif 000018
【図１７】
2004246021.tif 000019
【図１８】
2004246021.tif 000020